(57)【特許請求の範囲】
【請求項１】
ＳＡＷフィルタと、前記ＳＡＷフィルタと電気的に接続される複数個の回路素子と、前記ＳＡＷフィルタおよび前記回路素子を被覆する封止樹脂とを有し、
前記ＳＡＷフィルタと前記回路素子とが離間する距離は、前記回路素子同士が離間する距離よりも長いことを特徴とする回路装置。
【請求項２】
前記回路素子は、前記ＳＡＷフィルタよりも前記封止樹脂の中央部に配置されることを特徴とする請求項１記載の回路装置。
【請求項３】
前記ＳＡＷフィルタは、前記回路素子よりも前記封止樹脂の周辺部に配置されることを特徴とする請求項１記載の回路装置。
【請求項４】
ＳＡＷフィルタと、前記ＳＡＷフィルタと電気的に接続される複数の回路素子と、前記ＳＡＷフィルタおよび前記回路素子を被覆する封止樹脂とを有し、
前記ＳＡＷフィルタは前記回路素子よりも前記封止樹脂の周辺部に配置され、
前記ＳＡＷフィルタと前記回路素子とが離間する距離は、前記回路素子同士が離間する距離よりも長いことを特徴とする回路装置。
【請求項５】
前記ＳＡＷフィルタは前記封止樹脂の長手方向に対して端部付近に配置され、前記回路素子は前記封止樹脂の長手方向に対して中央部付近に配置されることを特徴とする請求項４記載の回路装置。
【請求項６】
前記回路素子は、映像信号または画像信号の処理を行う半導体素子、または、前記映像信号に付帯する情報の処理を行う半導体素子、または、電気信号の遅延を行うＣＣＤであることを特徴とする請求項１〜請求項５のいずれかに記載の回路装置。
【発明の詳細な説明】
【技術分野】  本発明は回路装置およびその製造方法に関し、特に、複数個の回路素子が樹脂封止された回路装置およびその製造方法に関する。
【背景技術】  図６を参照して、従来型のＳＡＷフィルタ装置１００の構成について説明する。図６はＳＡＷフィルタ装置１００の断面図である。
図６を参照して、ＳＡＷフィルタ（表面弾性波）素子１０３は、支持基板１０１上に固着されている。ＳＡＷフィルタ１０３は、金属細線１０４を介して、支持基板の表面に形成された電極１０２に接続されている。電極１０２は、支持基板１０１を貫通して、支持基板の１０１の裏面に形成された裏面電極１０６に接続されている。また、ＳＡＷフィルタ素子１０３はその表面に電極を有する。その電極の間隙を確保するために、ＳＡＷフィルタ１０３はケース材１０５により封止されていた。
また、図７を参照して、上記したＳＡＷフィルタ装置１００は、他の回路素子と共に実装基板ＰＳに実装され、所定の機能を有するモジュールを構成していた。ここで、他の回路素子とは、半導体素子１１１が樹脂１１２にて封止された半導体装置１１０、チップコンデンサＣＣ、および、チップ抵抗ＣＲが挙げられる。これらの回路素子は、実装基板ＰＳ上に形成された導電パターンにより互いが接続されていた。
【発明の開示】
【発明が解決しようとする課題】  しかしながら、上述したＳＡＷフィルタ装置１００では、ＳＡＷフィルタ装置１００の電極間の間隙を確保するために、ケース材１０５により封止されていた。このことから、ＳＡＷフィルタ装置１００自体が大型である問題があった。また、このＳＡＷフィルタ装置１００や半導体装置１１０が、別個の回路素子として実装基板に実装された。従って、実装の工程等に手間が掛かり、コストが増大してしまう問題があった。
本発明は上述した問題点を鑑みて成されたものであり、本発明の主な目的は、内部に空隙を有する回路素子を樹脂封止した回路装置およびその製造方法を提供することにある。
【課題を解決するための手段】  本発明の回路装置は、内部に間隙を有する第１の回路素子と、前記第１の回路素子と電気的に接続される複数個の第２の回路素子と、前記第１の回路素子および前記第２の回路素子を被覆する封止樹脂とを有し、前記第１の回路素子と前記第２の回路素子とが離間する距離は、前記第２の回路素子同士が離間する距離よりも長いことを特徴とする。
更に本発明の回路装置は、内部に間隙を有する第１の回路素子と、前記第１の回路素子と電気的に接続される第２の回路素子と、前記第１の回路素子および前記第２の回路素子を被覆する封止樹脂とを有し、前記第１の回路素子は前記第２の回路素子よりも前記封止樹脂の周辺部に配置されることを特徴とする。
更に本発明の回路装置は、第１のランドに固着されて内部に間隙を有する第１の回路素子と、前記第１のランドと離間して中央部付近に配置される第２のランドに固着された第２の回路素子と、一方が外部に導出して、他方が前記第１の回路素子あるいは前記第２の回路素子に接続される第１のリードと、前記第１の回路素子の近傍から前記第２の回路素子の近傍まで延在して両者を接続する第２のリードと、前記各回路素子および前記各リードを封止する封止樹脂とを有することを特徴とする。
本発明の回路装置の製造方法は、内部に空隙を有する第１の回路素子および当該第１の回路素子と電気的に接続される第２の回路素子をモールド金型のキャビティに載置する工程と、前記キャビティにゲートから封止樹脂を封入することで前記第１の回路素子および前記第２の回路素子を樹脂封止する工程を有し、前記第１の回路素子を、前記第２の回路素子よりも、前記ゲートから離間させることを特徴とする。
【発明を実施するための最良の形態】  図１を参照して、本発明の回路装置の詳細な構成を説明する。図１（Ａ）は本発明の回路装置１０の斜視図であり、図１（Ｂ）はその平面図である。同図を参照して、回路装置１０は、内部に間隙を有する第１の回路素子１３Ａと、第１の回路素子１３Ａと電気的に接続される複数個の第２の回路素子１３Ｂとを有する。第１の回路素子１３Ａおよび第２の回路素子１３Ｂは、封止樹脂１５により封止されている。そして、第１の回路素子１３Ａと第２の回路素子１３Ｂとが離間する距離は、第２の回路素子１３Ｂ同士が離間する距離よりも長い構成と成っている。このような各構成要素を以下にて説明する。
第１の回路素子１３Ａは、その内部に間隙（空間）を有する回路素子であり、ここでは、回路装置１０の長手方向の端部に形成された第１のランド１２Ａ上に固着されている。また、第１の回路素子１３Ａは、細長に形成される封止樹脂１５の、長手方向の端部付近に位置するように配置されている。更にまた、第１の回路素子１２Ａと第２の回路素子とが離間する距離は、第２の回路素子１３Ｂ同士が離間する距離よりも長くなっている。具体的に、第１の回路素子としては、ＳＡＷフィルタ（表面弾性波フィルタ）を採用することができる。ＳＡＷフィルタである第１の回路素子１３Ａの詳細は、図２を参照して説明する。
更に、第１の回路素子１３Ａは、金属細線１４を介してリード１１と電気的に接続される。そして、第１のリード１１Ａを介して、外部からの信号が第１の回路素子１３Ａに入力され、ＳＡＷフィルタである第１の回路素子１３Ａにより所望の周波数帯の電気信号が抽出される。第１の回路素子にて抽出された電気信号は、第２のリード１１Ｂを介して、第２の回路素子１３Ｂ１に入力される。
リード１１は、第１のリード１１Ａと第２のリード１１Ｂを含む。第１のリード１１Ａの一方の端部は、封止樹脂から導出して外部に延在して外部端子を形成する。第１のリード１１Ａの他方の端部は、第１の回路素子１３Ａまたは第２の回路素子１３Ｂの近傍まで延在して金属細線１４を介してこれらの素子と電気的に接続されている。具体的に、第１のリード１１Ａは、一方の端部が等間隔に封止樹脂１５の長手方向の対向する側辺部から導出して外部端子を形成している。そして第１のリード１３Ａの他方の端部は、中央部に配置された複数個の第２の回路素子１３Ｂに接近するように延在している。従って、第１のリード１１Ａは、第２の回路素子１３Ｂの周辺から外部に略放射状に延在している。また、複数の第１のリード１３Ａは、その端部が第１の回路素子１３Ａの近傍まで延在している。図１（Ａ）を参照して、外部に導出する部分の第１のリード１１Ａは、下方向に湾曲されても良い。
第２のリード１１Ｂは、回路装置１０に内蔵される回路素子同士を電気的に接続させる働きを有する。ここでは、第２のリード１１Ｂは、周辺部に配置された第１の回路素子１３Ａの近傍から、中央部に配置された第２の回路素子１３Ｂ１の近傍まで延在している。そして、金属細線１４と第２のリード１１Ｂとにより、両回路素子は電気的に接続されている。即ち、外部から入力された電気信号は、ＳＡＷフィルタである第１の回路素子１３Ａによりフィルタリングされる。そして、抽出された所望の周波数帯の電気信号が、第２のリード１１Ｂを介して、第１の回路素子１３Ａから第２の回路素子１３Ｂ１に供給される。ここで、ＳＡＷフィルタに入力される電気信号としては、映像信号、音声信号、テレビ信号等のアンテナを介して受信された信号が考えられる。
第２の回路素子１３Ｂは、回路装置１０の中央部付近に形成された第２のランド１２Ｂに固着されている。ここでは、第２の回路素子１３Ｂは、３つの半導体素子から成る。具体的には、第２の回路素子１３Ｂ１は、第２のリード１１Ｂを介して第１の回路素子１３Ａと接続されて、第１の回路素子１３Ａにてフィルタリングされた信号の処理を行う。この信号としては、映像信号または音声信号等が採用される。
第２の回路素子１３Ｂ２は、第２の回路素子１３Ｂ１と金属細線１４を介して直に接続されている。この第２の回路素子１３Ｂ２はＲＯＭやＲＡＭから成る記憶部を有し、各ユーザー毎に異なる設定情報等がこの記憶部に格納されている。この設定情報とは、テレビのチャンネルの表示方法等が考えられる。また、テレビのサブタイトル機能であるクローズトキャプションＴＶ制御機能を行う回路を、第２の回路素子１３Ｂ２に形成しても良い。この他にも、画像・音声制御以外の機能を第２の回路素子１３Ｂ２に集約することができる。
第２の回路素子１３Ｂ３は、金属細線１４を介して、信号処理を行う第１の回路素子１３Ｂ１に電気的に接続されている。この第２の回路素子１３Ｂ３は、遅延素子として機能するＣＣＤを採用することができる。具体的な第２の回路素子１３Ｂ３の動作は、入力された電気信号を電荷に変換して、その電荷信号をクロックで伝搬し、伝搬された電荷信号を電圧に変換している。
上記した第２の回路素子１３Ｂ１は、第２の回路素子１３Ｂ２および第２の回路素子１３Ｂ３が実装されるランドとは異なるランドに実装される。即ち、第２の回路素子１３Ｂ１が実装される第２のランド１２Ｂと、第２の回路素子１３Ｂ２および第２の回路素子１３Ｂ３が実装される第２のランド１２Ｂとは、電気的に分離している。係る構成により、マイコンである第２の回路素子１３Ｂ２から発生するクロックノイズが、信号処理を行う素子である第２の回路素子１３Ｂ１に悪影響を及ぼしてしまうのを防止することができる。
また、第２の回路素子１３Ｂ１の表面に形成された電極と、第２の回路素子１３Ｂ２表面に形成された電極とは、金属細線１４を介して電気的に接続される。そして、第２の回路素子１３Ｂ１の表面に形成された電極と、第２の回路素子１３Ｂ３表面に形成された電極とは、金属細線１４を介して電気的に接続される。
図２を参照して、ＳＡＷフィルタである第１の回路素子１３Ａの詳細を説明する。図２（Ａ）はＳＡＷフィルタ２０の構成を示す概念図であり、図２（Ｂ）はＳＡＷフィルタが構成された第１の回路素子１３Ａの断面図である。
図２（Ａ）を参照して、ＳＡＷフィルタの基本的構成を説明する。ＳＡＷフィルタでは、同図に示すような電極指２３が互いに噛み合ったインターディヂタルトランスデューサ（Ｉｎｔｅｒｄｉｇｉｔａｌ  Ｔｒａｎｓｄｕｃｅｒ、以下ＩＤＴと略す）により、ＳＡＷを励振あるいは受信する。ＳＡＷフィルタ２０は少なくとも各々１ケの励振用ＩＤＴ２１Ａと受信用ＩＤＴ２１Ｂより形成される。これらの励振用ＩＤＴ２１Ａと受信用ＩＤＴ２１Ｂの周波数特性の積がほぼＳＡＷフィルタの周波数特性となる。即ち、励起用ＩＤＴ２１Ａおよび受信用ＩＤＴから延在する電極指２３同士の間隔が、ＳＡＷフィルタの周波数特性を決定する。
図２（Ｂ）を参照して、上述したＳＡＷフィルタを内蔵する第１の回路素子の構成を説明する。第１の回路素子１３Ａは、ベース基板となる圧電体から成る圧電体基板２６を内部に有し、この圧電体基板２６の表面にＩＤＴを構成する電極指２３が形成されている。そして、封止樹脂２５により圧電体基板２６の表面には空隙２７が形成され、この空隙２７に電極指２８は収納される。この空隙は、ＳＡＷフィルタの特性を維持する為に非常に重要である。
上記構成を有する第１の回路素子１３Ａは、接着剤２９を介して、第１のランド１２Ａに固着されている。ここで、接着剤２９としてＡｇペーストを用いると好適である。即ち、ＳＡＷフィルタである第１の回路素子１３Ａの特性を向上させることができる。これは、Ａｇペーストの熱膨張係数が、第１の回路素子１３Ａの熱膨張係数と近似するからであることが考えられる。
次に、図３を参照して、使用状況下の温度変化が第１の回路素子１３Ａに与える影響を最小にするための回路装置１０の構成を説明する。図３（Ａ）は回路装置１０の断面図であり、図３（Ｂ）は温度分布を示す特性図であり、図３（Ｃ）は温度変化による回路装置１０の変形量を示す概念図である。
図３（Ａ）を参照して、信号処理等を行う半導体素子を含む複数個の素子から成る第２の回路素子１３Ｂは、長手方向の中央部付近に固着されている。具体的には、３つの第２の回路素子１３Ｂ１、１３Ｂ２、１３Ｂ３が接近して配置されている。また、ＳＡＷフィルタである第１の回路素子１３Ａは、第２の回路素子１３Ｂからは離間して、回路装置１０の長手方向の端部付近（ここでは右端付近）に配置されている。具体的には、第１の回路素子１３Ａと第２の回路素子１３Ｂとが離間する距離は、第２の回路素子１３Ｂ同士が離間する距離よりも大きく設定される。
図３（Ｂ）を参照して、使用状況下の温度変化により、内蔵される回路素子が発熱した場合の、回路装置の長手方向の温度分布に関して説明する。この特性図の横軸は回路装置１０の長手方向の位置を示している。即ち、横軸の中央部は回路装置１０の長手方向の中央部を示している。また、この特性図の縦軸は、温度を示している。
同特性図を参照して、複数個の第２の回路素子１３が配置された回路装置１０の中央部付近の温度が最高温度（約１２０度程度）を示し、長手方向の両端部付近が最低の温度（７０度程度）を示している。
封止樹脂１５に封止される回路素子の中でも、画像および音声の信号処理を行う第２の回路素子１３Ｂ１は、最も発熱する素子である。具体的には、この第２の回路素子１３Ｂ１は、内蔵される素子の中で最も消費電力が大きく、使用状況下に於いて、１３０度以上に発熱する。この第２の回路素子１３Ｂ１に隣接する第２の回路素子１３Ｂ２および１３Ｂ３は、それ自身からの発熱量は少ない。しかしながら、第２の回路素子１３Ｂ１からの熱の伝導により加熱される。具体的には、第２の回路素子１３Ｂ２および１３Ｂ３は１１０度程度に加熱される。しかしながら、これらの回路素子は、半導体素子であるので、このような高温下に於いてもその動作を問題なく行うことができる。
第１の回路素子１３Ａは受動素子であるので、それ自身の発熱は小さい。更に第１の回路素子１３Ａは、端部付近に配置されているので、発熱を伴う第２の回路素子１３Ｂ１からの熱の伝導量を少なくすることができる。従って、使用状況下に於いても、ＳＡＷフィルタである第１の回路素子１３Ａの温度は、７０度程度に抑えることができる。このことにより、第２の回路素子１３Ｂの発熱に起因した、第１の回路素子１３Ａの特性の低下や誤動作を抑止することができる。
図３（Ｃ）を参照して、上記した第２の回路素子１３Ｂの発熱に伴う回路装置１０の変形に関して説明する。同図は、封止樹脂１５に内蔵される回路素子が使用状況下で発熱した場合の、封止樹脂の変形量を示す概念図である。同図では、縦方向の変位量を強調して描いている。
同図に示す第１の領域Ａ１は、封止樹脂１５の長手方向の中央部付近を示している。上述したように、この第１の領域Ａ１は、発熱を伴う素子である第２の回路素子１３Ｂ１が配置されている。従って、この領域の封止樹脂は発熱量に応じた変形量を示す。具体的には、第１の領域Ａ１の封止樹脂は、上方向に湾曲する変形を示す。しかしながら、この第１の領域Ａ１の変形量は、この領域に内蔵される第２の回路素子１３Ｂに悪影響を及ぼさない程度である。
第２の領域Ａ２は、封止樹脂１５の長手方向の終端部を示しており、この領域には第１の回路素子１３Ａが内蔵されている。上述したように、この第２の領域Ａ２の温度は、上述した第１の領域Ａ１と比較すると低い。従って、第２の領域Ａ２の変形量も第１の領域Ａ１と比較すると小さい。このことから、使用状況下による温度上昇に伴う変形が、ＳＡＷフィルタである第１の回路素子１３Ａに悪影響を与えるのを防止することができる。具体的には、温度上昇に伴う変形により、ＳＡＷフィルタである第１の回路素子１３Ａの内部に形成された間隙が潰れてしまうのを防止することができる。
次に、図４および図５を参照して、上述した回路装置１０の製造方法を、封止を行う工程を中心にして説明する。回路装置１０の製造方法は、内部に空隙を有する第１の回路素子１３Ａおよびこの素子と電気的に接続される第２の回路素子１３Ｂをモールド金型３０に載置する工程と、モールド金型３０から成るキャビティ３１にゲート３２から封止樹脂１５を封入することで第１の回路素子１３Ａおよび第２の回路素子１３Ｂを樹脂封止する工程を有し、第１の回路素子１３Ａを、第２の回路素子１３Ｂよりも、ゲート３２から離間させる構成に成っている。
先ず、図４を参照して、第１のリード１１Ａおよび第２のリード１１Ｂを、打ち抜き、あるいは、エッチングの工程により形成する。ここでは、各リード１１は、連結部１１Ｄや支持リード１１Ｃにより、１枚の板状体のリードフレーム９として供給される。また、第２のリード１１Ｂに関しては、他の箇所のリードフレームと電気的にも機械的にも独立しているので、樹脂系の粘着シートから成る支持シート８により、機械的に支持されている。そして、回路素子１３の実装、および、金属細線１４による電気的接続を行う。
図５（Ａ）は樹脂封入を行う途中の段階のモールド金型３０の断面図であり、図５（Ｂ）は樹脂封入が行われた後のモールド金型３０の断面図であり、図５（Ｃ）は、樹脂圧の変化を示す特性図である。
次に、図５（Ａ）を参照して、リードフレーム９をモールド金型の下金型３０Ｂにセットする。この際に、第１の回路素子１３Ａは、第２の回路素子１３Ｂよりもゲート３２から離間させて配置する。ここでは、第１の回路素子１３Ａは、エアベント３３の近傍に配置されている。リード１１を金型にセットした後は、上金型３０Ｂに下金型３０Ａを噛み合わせて、キャビティ３１を構成する。そして、ゲート３２からキャビティ３１内部に封止樹脂１５を封入する。封入された樹脂の量に応じて、キャビティ３１内部の空気がエアベント３３から外部に放出される。封止樹脂としては、熱硬化性樹脂、または、熱可塑性樹脂の両方を採用することができるが、熱可塑性樹脂がより好適である。
次に、図５（Ｂ）を参照して、ゲート３２からの樹脂封入を連続して行うことにより、キャビティ３１を封止樹脂で満たして、リード１１、回路素子１３および金属細線１４を封止する。上記工程により、樹脂封止が行われる。そして、ＳＡＷフィルタである第１の回路素子１３Ａの内部に形成された空隙を潰すことなく樹脂封止を行うことができる。
図５（Ｃ）の特性図を参照して、如何にして第１の回路素子１３Ａに悪影響を与えずに樹脂封止を行うかに関して説明する。同図の横軸は、キャビティ内部の長手方向の位置を示しており、縦軸は封入された樹脂による封止圧を示している。
本願で使用する熱硬化性樹脂は、熱を加えると融解して粘性が低くなり、更に加熱すると熱硬化により粘性が高くなり、時間の経過に従い硬化が進行する性質を有する。同図を参照して、ゲート３２から注入された直後の封止樹脂は、粘性が低いために、高い樹脂圧を有する。そして、キャビティ３１内部を、ゲート３２からエアベント３３の方向に移動することにより、樹脂硬化が進行して封止樹脂１５の樹脂圧が低くなる。これは、金型３０の温度が、熱硬化性樹脂である封止樹脂のガラス転移温度よりも高いために、移動をしつつキャビティ３１内部に滞在する封止樹脂１５の硬化が進行するからである。
上記のことから、キャビティ３１内部では、ゲート３２から遠方であればあるほど、封止樹脂による樹脂圧が低いことが分かる。従って、キャビティ３１内部に於いて、ゲート３２が設けられた箇所に対向する箇所に設けられた第１の回路素子１３Ａに作用する樹脂圧は非常に低いことが分かる。このことから、樹脂の封入圧が高いトランスファーモールドを行った場合でも、樹脂の封入圧により、ＳＡＷフィルタである第１の回路素子１３Ａの特性が劣化してしまうのを防止することができる。
上記の工程が終了した後は、リードを成形する工程等を経て、図１に示すような回路装置１０が完成する。
【発明の効果】
本発明では、以下に示すような効果を奏することができる。
本発明では、内部に空隙が形成された第１の回路素子と、複数個の第２の回路素子を有し、第１の回路素子と第２の回路素子とか離間する距離を、第２の回路素子同士が離間する距離よりも大きくしている。従って、第２の回路素子から発生する熱が過度に第１の回路素子に伝導してしまうのを防止することができる。従って、熱応力により、第１の回路素子１３Ａの内部空間が変形して、ＳＡＷフィルタである第１の回路素子１３Ａの特性が劣化してしまうのを防止することができる。
製法上では、樹脂封止を行う工程に於いて、第１の回路素子を、第２の回路素子よりもゲートから遠方に配置したので、樹脂封止圧による第１の回路素子１３Ａの内部空間の変形を抑止することができる。
【図面の簡単な説明】  第１図（Ａ）は、本発明の回路装置を説明する斜視図であり、第１図（Ｂ）は、本発明の回路装置を説明する平面図であり、第２図（Ａ）は、本発明の回路装置を説明する概念図であり、第２図（Ｂ）は、本発明の回路装置を説明する断面図であり、第３図（Ａ）は、本発明の回路装置を説明する平面図であり、第３図（Ｂ）は、本発明の回路装置を説明する特性図であり、第３図（Ｃ）は、本発明の回路装置を説明する斜視図であり、第４図は、本発明の回路装置を説明する平面図であり、第５図（Ａ）は、本発明の回路装置の製造方法を説明する断面図であり、第５図（Ｂ）は、本発明の回路装置の製造方法を説明する断面図であり、第５図（Ｃ）は、本発明の回路装置の製造方法を説明する特性図であり、第６図は、従来の回路装置を説明する断面図であり、第７図は、従来の回路装置を説明する断面図である。
【符号の説明】
８          支持シート          ２７    間隙
９          リードフレーム      ２９    接着剤
１０        回路装置            ３０Ａ  上金型
１１        リード              ３０Ｂ  下金型
１１Ａ      第１のリード        ３１    キャビティ
１１Ｂ      第２のリード        ３２    ゲート
１１Ｃ      支持リード          ３３    エアベント
１１Ｄ      連結部              １００  ＳＡＷフィルタ装置
１２Ａ      第１のランド        １０１  支持基板
１２Ｂ      第２のランド        １０２  電極
１３Ａ      第１の回路素子      １０３  ＳＡＷ素子
１３Ｂ      第２の回路素子      １０４  金属細線
１３Ｂ１    第２の回路素子      １０５  ケース材
１３Ｂ２    第２の回路素子      １０６  裏面電極
１３Ｂ３    第２の回路素子      １１０  半導体装置
１４        金属細線            １１１  半導体素子
１５        封止樹脂            １１２  樹脂
２０        ＳＡＷフィルタ      １１３  リード
２１Ａ      励起用ＩＤＴ        Ａ１    第１の領域
２１Ｂ      受信用ＩＤＴ        Ａ２    第２の領域
２３        電極指              ＣＲ    チップ抵抗
２５        封止樹脂            ＣＣ    チップコンデンサ
２６        圧電体基板          ＰＳ    実装基板
【図１】
0004624264.tif 000002
【図２】
0004624264.tif 000003
【図３】
0004624264.tif 000004
【図４】
0004624264.tif 000005
【図５】
0004624264.tif 000006
【図６】
0004624264.tif 000007
【図７】
0004624264.tif 000008